(57)【要約】      （修正有）【課題】複数の層を含み適切な表面色調を有する補綴物を得るのに役立つ技術を提供する。【解決手段】方法は、コンピュータにより実行される。方法は、内側表面と境界との間の距離である内側距離を計算することと、外側表面と境界との間の距離である外側距離を計算することと、仮想色調を、内側距離と、外側距離と、外層の色調データと、内層の色調データと、に基づいて計算する。【選択図】図７
2020058648.tif 000002
【特許請求の範囲】
【請求項１】
コンピュータにより実行される方法であって、
加工に供されるミルブランク部を表すデータであってエナメル層を表す外層と前記外層の内側に存在する内層とを有するデータをワークデータと定義し、前記ミルブランク部から得られる補綴物の形状を表すデータを補綴物形状データと定義したとき、
前記補綴物形状データの内側表面と、前記外層と前記内層との境界と、前記補綴物形状データの外側表面と、がこの順に並ぶように、前記ワークデータと前記補綴物形状データの相対位置が調整された調整状態において、
前記内側表面と前記境界との間の距離である内側距離を計算することと、
前記外側表面と前記境界との間の距離である外側距離を計算することと、
前記ワークデータと前記補綴物形状データとの重複部分を仮想補綴物と定義し、前記仮想補綴物の表面の色調を仮想色調と定義したとき、前記仮想色調を、前記内側距離と、前記外側距離と、前記外層の色調データと、前記内層の色調データと、に基づいて計算することと、を含む、方法。
【請求項２】
前記仮想色調を表示することを含む、請求項１に記載の方法。
【請求項３】
前記内側距離と前記外側距離との合計を総距離と定義したとき、
前記総距離に対する前記外側距離の比率が大きいほど、前記外層の色調データの少なくとも一要素を、前記仮想色調に強く反映させる、請求項１又は２に記載の方法。
【請求項４】
前記内側距離と前記外側距離との合計を総距離と定義したとき、
前記総距離に対する前記内側距離の比率が大きいほど、前記内層の色調データの少なくとも一要素を、前記仮想色調に強く反映させる、請求項１〜３のいずれか一項に記載の方法。
【請求項５】
前記外側表面は、唇に面する部分を表す唇側部を含む、請求項１〜４のいずれか一項に記載の方法。
【請求項６】
歯牙を表すデータを歯牙データと定義したとき、
前記内側表面は、前記歯牙データとの間に隙間が生じるように形成されている、請求項１〜５のいずれか一項に記載の方法。
【請求項７】
前記内側表面は、凹面を有し、
前記ワークデータは、前記ミルブランク部を切削するための加工機におけるスピンドルが延びる方向を表すＺ軸を有し、
前記調整状態は、切削可能条件が成立するように、前記相対位置が調整された状態であり、
前記切削可能条件は、前記Ｚ軸に平行に延び前記凹面と交差する全ての直線が、前記凹面と１回だけ交差するという条件である、請求項１〜６のいずれか一項に記載の方法。
【請求項８】
前記ミルブランク部の加工に用いられる加工データを出力することを含み、
加工機において前記ミルブランク部を加工するのに用いられる加工座標系の原点を加工原点と定義し、前記ワークデータを表すのに用いられる第１座標系の原点をワークデータ原点と定義したとき、
前記ワークデータ原点は、前記加工原点を表し、
前記仮想補綴物は、前記第１座標系で表されおり、
前記加工データは、前記仮想補綴物が反映されており、かつ、前記ワークデータ原点を表す情報を含んでいる、請求項１〜７のいずれか一項に記載の方法。
【請求項９】
前記補綴物は、前記ミルブランク部を加工して被加工体を形成し、前記被加工体を焼成してサイズを１／Ｘ倍に変化させることによって得られるものであり、
前記ワークデータ及び前記補綴物形状データが表される座標系において、
前記ワークデータは、加工前かつ焼成前の実サイズの前記ミルブランク部の１／Ｙ倍のサイズで表され、
前記補綴物形状データは、実サイズの前記補綴物のＺ倍のサイズで表される、請求項１〜８のいずれか一項に記載の方法。
ここで、Ｘは、１を除く正の値であり、Ｙは、１を含む正の値であり、Ｚは、１を含む正の値であり、Ｘ＝Ｙ×Ｚである。
【請求項１０】
前記ミルブランク部の加工に用いられる加工データを出力することを含み、
前記加工データは、前記被加工体を表すデータであって前記仮想補綴物をＹ倍にサイズ変更したデータを含む、請求項９に記載の方法。
【請求項１１】
前記補綴物形状データが前記ワークデータからはみ出している場合において、警告を行うことを含む、請求項１〜１０のいずれか一項に記載の方法。
【請求項１２】
請求項１〜１１のいずれか一項に記載の方法を実行するための装置であって、
前記コンピュータを含む、装置。
【請求項１３】
前記ワークデータ及び前記補綴物形状データが表される座標系において、
前記ワークデータは、加工前かつ焼成前の実サイズの前記ミルブランク部の１／Ｙ倍のサイズで表され、
前記補綴物形状データは、実サイズの前記補綴物のＺ倍のサイズで表され、
前記コンピュータは、Ｙ及びＺを調整できるように構成されている、請求項１２に記載の装置。
ここで、Ｙは、１を含む正の値であり、Ｚは、１を含む正の値である。
【請求項１４】
前記コンピュータは、前記ミルブランク部を加工して被加工体を形成するのに用いられる加工データを出力し、
前記加工データは、前記被加工体を表すデータであって前記仮想補綴物をＹ倍にサイズ変更したデータを含む、請求項１３に記載の装置。
【請求項１５】
請求項１２〜１４のいずれか一項に記載の装置と、加工機と、を備えたシステムであって、
前記加工機は、前記仮想補綴物が反映された加工データに基づいて、前記ミルブランク部を加工する、システム。
【請求項１６】
コンピュータによる実行時において、請求項１〜１１のいずれか一項に記載の方法をコンピュータに実行させる指示を備えた、コンピュータプログラム。
【請求項１７】
前記ワークデータ及び前記補綴物形状データが表される座標系において、
前記ワークデータは、加工前かつ焼成前の実サイズの前記ミルブランク部の１／Ｙ倍のサイズで表され、
前記補綴物形状データは、実サイズの前記補綴物のＺ倍のサイズで表され、
前記コンピュータを、Ｙ及びＺを調整できるようにする、請求項１６に記載のコンピュータプログラム。
ここで、Ｙは、１を含む正の値であり、Ｚは、１を含む正の値である。
【請求項１８】
前記コンピュータに、前記ミルブランク部を加工して被加工体を形成するのに用いられる加工データの出力を実行させ、
前記加工データは、前記被加工体を表すデータであって前記仮想補綴物をＹ倍にサイズ変更したデータを含む、請求項１７に記載のコンピュータプログラム。
【請求項１９】
請求項１６〜１８のいずれか一項に記載のコンピュータプログラムが記録された、コンピュータ読出可能な非一過性の記録媒体。
【発明の詳細な説明】
【技術分野】
【０００１】
本発明は、コンピュータにより実行される方法、装置、システム、コンピュータプログラム、及び、記録媒体に関する。
【背景技術】
【０００２】
従来、歯科補綴物を作製するための、種々の技術が検討されている。例えば、歯科補綴物は、ＮＣ（Ｎｕｍｅｒｉｃａｌ  Ｃｏｎｔｒｏｌ  ｍａｃｈｉｎｉｎｇ）加工機を含む歯科用ＣＡＤ／ＣＡＭシステムによって、作製される。
【０００３】
一従来例では、歯科用ＣＡＤ／ＣＡＭシステムは、スキャナ、ＣＡＤ装置、ＣＡＭ装置及びＮＣ加工機を備える。スキャナは、模型又は口腔内の構造を計測する。これにより、３次元形状データが取得される。ＣＡＤ装置は、３次元形状データから、補綴物を設計する。これにより、補綴物データが作成される。ＣＡＭ装置は、補綴物データに基づいて、ＮＣデータを計算する。ＮＣ加工機は、ＮＣデータに基づいて、材料を加工する。これにより、歯科補綴物が得られる。
【０００４】
一例では、スキャナ、ＣＡＤ装置、ＣＡＭ装置及びＮＣ加工機は、それぞれ独立した機器であり、これら独立した機器が、協働して歯科用ＣＡＤ／ＣＡＭシステムを構成している。別例では、１つの機器が、スキャナ、ＣＡＤ装置、ＣＡＭ装置及びＮＣ加工機の機能うちの複数の機能を有している。スキャナには、接触式の計測を行うものと、非接触式の計測を行うものとがある。
【０００５】
近年、色分布が一様ではない材料が加工に供されることがある。引用文献１には、そのような材料から補綴物を作製することが記載されている。引用文献１では、材料の色分布が一様ではない場合であっても適正な補綴物を作製できるという効果が謳われている。
【先行技術文献】
【特許文献】
【０００６】
【特許文献１】特開２０１１−０７８４５３号公報
【発明の概要】
【発明が解決しようとする課題】
【０００７】
複数の層を含む材料から、複数の層を含む補綴物を作製することを考える。その場合において、適切な表面色調を有する補綴物を作製することは、審美性を確保する観点から有利である。しかし、従来技術には、複数の層を含み適切な表面色調を有する補綴物を得る観点から、改善の余地がある。
【０００８】
本発明は、複数の層を含み適切な表面色調を有する補綴物を得るのに役立つ技術を提供することを目的とする。
【課題を解決するための手段】
【０００９】
本発明は以下の発明に関する。
[１]コンピュータにより実行される方法であって、
加工に供されるミルブランク部を表すデータであってエナメル層を表す外層と前記外層の内側に存在する内層とを有するデータをワークデータと定義し、前記ミルブランク部から得られる補綴物の形状を表すデータを補綴物形状データと定義したとき、
前記補綴物形状データの内側表面と、前記外層と前記内層との境界と、前記補綴物形状データの外側表面と、がこの順に並ぶように、前記ワークデータと前記補綴物形状データの相対位置が調整された調整状態において、
前記内側表面と前記境界との間の距離である内側距離を計算することと、
前記外側表面と前記境界との間の距離である外側距離を計算することと、
前記ワークデータと前記補綴物形状データとの重複部分を仮想補綴物と定義し、前記仮想補綴物の表面の色調を仮想色調と定義したとき、前記仮想色調を、前記内側距離と、前記外側距離と、前記外層の色調データと、前記内層の色調データと、に基づいて計算することと、を含む、方法。
[２]前記仮想色調を表示することを含む、前記[１]に記載の方法。
[３]前記内側距離と前記外側距離との合計を総距離と定義したとき、
前記総距離に対する前記外側距離の比率が大きいほど、前記外層の色調データの少なくとも一要素を、前記仮想色調に強く反映させる、前記[１]又は[２]に記載の方法。
[４]前記内側距離と前記外側距離との合計を総距離と定義したとき、
前記総距離に対する前記内側距離の比率が大きいほど、前記内層の色調データの少なくとも一要素を、前記仮想色調に強く反映させる、前記[１]〜[３]のいずれかに記載の方法。
[５]前記外側表面は、唇に面する部分を表す唇側部を含む、前記[１]〜[４]のいずれかに記載の方法。
[６]歯牙を表すデータを歯牙データと定義したとき、
前記内側表面は、前記歯牙データとの間に隙間が生じるように形成されている、前記[１]〜[５]のいずれかに記載の方法。
[７]前記内側表面は、凹面を有し、
前記ワークデータは、前記ミルブランク部を切削するための加工機におけるスピンドルが延びる方向を表すＺ軸を有し、
前記調整状態は、切削可能条件が成立するように、前記相対位置が調整された状態であり、
前記切削可能条件は、前記Ｚ軸に平行に延び前記凹面と交差する全ての直線が、前記凹面と１回だけ交差するという条件である、前記[１]〜[６]のいずれかに記載の方法。
[８]前記ミルブランク部の加工に用いられる加工データを出力することを含み、
加工機において前記ミルブランク部を加工するのに用いられる加工座標系の原点を加工原点と定義し、前記ワークデータを表すのに用いられる第１座標系の原点をワークデータ原点と定義したとき、
前記ワークデータ原点は、前記加工原点を表し、
前記仮想補綴物は、前記第１座標系で表されおり、
前記加工データは、前記仮想補綴物が反映されており、かつ、前記ワークデータ原点を表す情報を含んでいる、前記[１]〜[７]のいずれかに記載の方法。
[９]前記補綴物は、前記ミルブランク部を加工して被加工体を形成し、前記被加工体を焼成してサイズを１／Ｘ倍に変化させることによって得られるものであり、
前記ワークデータ及び前記補綴物形状データが表される座標系において、
前記ワークデータは、加工前かつ焼成前の実サイズの前記ミルブランク部の１／Ｙ倍のサイズで表され、
前記補綴物形状データは、実サイズの前記補綴物のＺ倍のサイズで表される、前記[１]〜[８]のいずれかに記載の方法。
ここで、Ｘは、１を除く正の値であり、Ｙは、１を含む正の値であり、Ｚは、１を含む正の値であり、Ｘ＝Ｙ×Ｚである。
[１０]前記ミルブランク部の加工に用いられる加工データを出力することを含み、
前記加工データは、前記被加工体を表すデータであって前記仮想補綴物をＹ倍にサイズ変更したデータを含む、前記[９]に記載の方法。
[１１]前記補綴物形状データが前記ワークデータからはみ出している場合において、警告を行うことを含む、前記[１]〜[１０]のいずれかに記載の方法。
[１２]前記[１]〜[１１]のいずれかに記載の方法を実行するための装置であって、
前記コンピュータを含む、装置。
[１３]前記ワークデータ及び前記補綴物形状データが表される座標系において、
前記ワークデータは、加工前かつ焼成前の実サイズの前記ミルブランク部の１／Ｙ倍のサイズで表され、
前記補綴物形状データは、実サイズの前記補綴物のＺ倍のサイズで表され、
前記コンピュータは、Ｙ及びＺを調整できるように構成されている、前記[１２]に記載の装置。
ここで、Ｙは、１を含む正の値であり、Ｚは、１を含む正の値である。
[１４]前記コンピュータは、前記ミルブランク部を加工して被加工体を形成するのに用いられる加工データを出力し、
前記加工データは、前記被加工体を表すデータであって前記仮想補綴物をＹ倍にサイズ変更したデータを含む、前記[１３]に記載の装置。
[１５]前記[１２]〜[１４]のいずれかに記載の装置と、加工機と、を備えたシステムであって、
前記加工機は、前記仮想補綴物が反映された加工データに基づいて、前記ミルブランク部を加工する、システム。
[１６]コンピュータによる実行時において、前記[１]〜[１１]のいずれかに記載の方法をコンピュータに実行させる指示を備えた、コンピュータプログラム。
[１７]前記ワークデータ及び前記補綴物形状データが表される座標系において、
前記ワークデータは、加工前かつ焼成前の実サイズの前記ミルブランク部の１／Ｙ倍のサイズで表され、
前記補綴物形状データは、実サイズの前記補綴物のＺ倍のサイズで表され、
前記コンピュータを、Ｙ及びＺを調整できるようにする、前記[１６]に記載のコンピュータプログラム。
ここで、Ｙは、１を含む正の値であり、Ｚは、１を含む正の値である。
[１８]前記コンピュータに、前記ミルブランク部を加工して被加工体を形成するのに用いられる加工データの出力を実行させ、
前記加工データは、前記被加工体を表すデータであって前記仮想補綴物をＹ倍にサイズ変更したデータを含む、前記[１７]に記載のコンピュータプログラム。
[１９]前記[１６]〜[１８]のいずれのコンピュータプログラムが記録された、コンピュータ読出可能な非一過性の記録媒体。
【発明の効果】
【００１０】
本発明は、複数の層を含み適切な表面色調を有する補綴物を得るのに役立つ。
【図面の簡単な説明】
【００１１】
【図１】本発明に係るミルブランク部の実施形態の一例を示す概略図である。
【図２】本発明に係るミルブランク部を仮想第一切断面で割断した際の断面図（概略図）である。
【図３】本発明に係るミルブランク部を仮想第二切断面で割断した際の断面図（概略図）である。
【図４】本発明に係るミルブランク部の実施形態の一例を示す概略図である。
【図５】本発明に係るミルブランク部を仮想第一切断面で割断した際の断面図（概略図）である。
【図６】本発明に係るミルブランク部を仮想第二切断面で割断した際の断面図（概略図）である。
【図７】本発明に係る方法の実施形態の一例を説明するためのフローチャートである。
【図８】本発明に係る方法の実施形態の一例を説明するためのブロック図である。
【図９】本発明に係るプラットホームデータの実施形態の一例を示す図である。
【図１０】本発明に係るプラットホームデータの実施形態の一例を示す図である。
【図１１】本発明に係るプラットホームデータの実施形態の一例を示す図である。
【図１２】本発明に係る歯牙データ及び補綴物形状データの実施形態の一例を示す図である。
【図１３】本発明に係る補綴物形状データ及びワークデータの実施形態の一例を示す図である。
【図１４】本発明に係る補綴物形状データ及びワークデータの実施形態の一例を示す図である。
【図１５】本発明に係る補綴物形状データの内周面の実施形態の一例を示す概略図である。
【図１６】本発明に係る補綴物形状データの外周面の実施形態の一例を示す概略図である。
【図１７】外層と内層との間の境界を説明するための説明図である。
【図１８】外側距離及び内側距離を説明するための説明図である。
【図１９】実際に作成したペレットのｃ＊をプロットしたグラフである。
【図２０】切削可能条件が満たされている様を説明するための説明図である。
【図２１】切削可能条件が満たされていない様を説明するための説明図である。
【図２２】参考実施形態を説明するためのブロック図である。
【発明を実施するための形態】
【００１２】
以下、本発明のミルブランクを例示する。ただし、ミルブランクは、以下の例に限定されない。
【００１３】
以下に例示するミルブランクは、２層以上の積層構造を有するミルブランク部を有する歯科用のミルブランクである。該積層構造において、エナメル層（１）の内側にボディ層（３）が存在し、ボディ層（３）が底面及び側面を有する。具体的には、以下に例示するミルブランクは、側面が底面に対して垂直な部分を有する。ただし、そのような部分はなくてもよい。
【００１４】
[ミルブランク部]
ミルブランク部は、エナメル層（１）及びボディ層（３）を含む２層以上の積層構造を有する。該ミルブランク部の一例を図１に示す。
【００１５】
ボディ層（３）は、ミルブランクにおいて支台歯の色調が浮き出ないように色調遮蔽性を有する層であり、エナメル層の内側に形成されている。ボディ層（３）が底面及び側面を有し、かつ側面が底面に対して垂直な部分を有する形状であることにより、天然歯とより近い構造（象牙質）となるため、天然歯と同様の色調が得られる。ミルブランクにおいてボディ層（３）の、側面が底面に対して垂直な部分は、象牙質により近づけるために、所望の高さを有する。なお、ボディ層（３）の底面は、エナメル層（１）や後述する中間層（２）に覆われてもよく、ミルブランク部の表面に露出されてもよい。
【００１６】
ボディ層（３）の好適な形状について以下説明する。
【００１７】
ボディ層（３）において、底面に平行な少なくとも１つの断面が、円弧、楕円弧、放物線及び懸垂線からなる群より選択された少なくとも２つを組み合わせた輪郭を有する形状であることが好ましい。該輪郭は、円弧、楕円弧、放物線及び懸垂線からなる群より選択された曲線以外に、直線を組み合わせたものであってもよいが、円弧、楕円弧、放物線及び懸垂線からなる群より選択された曲線のみを組み合わせたものであることがより好ましい。前記形状としては、円、楕円など、図２に記載のものが例示される。なお、前記断面としては、例えば、図１における仮想第一切断面（４）で割断した際の断面が含まれる。
【００１８】
ボディ層（３）において、底面に垂直な少なくとも１つの断面が、砲弾形の形状であるのが好ましい。砲弾形の形状とは、例えば、図１の仮想第二切断面（５）でミルブランクを切断した場合に、四角形の一つの辺が外側に湾曲した形状を表し、図３に記載のもの（図３の斜線部）が例示される（図３におけるＡ〜Ｄは、図２におけるＡ〜Ｄにそれぞれ対応する）。ボディ層（３）が上記の形状を有することによって天然歯の構造により近づけることができる。なお、前記断面としては、例えば、図１における仮想第二切断面（５）で割断した際の断面が含まれる。
【００１９】
ミルブランクは、該ミルブランク部が、エナメル層（１）及びボディ層（３）の間に、中間層（２）を１層以上有することが好ましい。中間層（２）を１層以上有することによって、ボディ層の色調が表面に浮き出ることを防ぐことができる。該ミルブランク部の一例を図４に示す。
【００２０】
中間層（２）は、ボディ層（３）の側面の少なくとも一部を覆っており、好ましくは、ボディ層（３）の側面の全部を覆っている態様である。また、中間層（２）は、ボディ層（３）の底面の全部又は一部を覆っていてもよい。
【００２１】
中間層（２）の好適な形状について以下説明する。
【００２２】
中間層（２）は、底面及び側面を有し、かつ側面が底面に対して垂直な部分を有する形状であることが好ましい。これにより、天然歯と同等の構造（象牙質）を有するため、天然歯と同様の色調が得られる。
【００２３】
中間層（２）において、底面に平行な少なくとも１つの断面が、円弧、楕円弧、放物線及び懸垂線からなる群より選択された少なくとも２つを組み合わせた輪郭を有する形状であることが好ましい。該輪郭は、円弧、楕円弧、放物線及び懸垂線からなる群より選択された曲線以外に、直線を組み合わせたものであってもよいが、円弧、楕円弧、放物線及び懸垂線からなる群より選択された曲線のみを組み合わせたものであることがより好ましい。前記形状としては、円、楕円など、図５に記載のものが例示される。なお、前記断面としては、例えば、図４における仮想第一切断面（４）で割断した際の断面が含まれる。
【００２４】
中間層（２）において、底面に垂直な少なくとも１つの断面が、砲弾形の形状であるのが好ましい。砲弾形の形状の中間層（２）としては、図６に記載のものが例示される（図６におけるＡ〜Ｄは、図５におけるＡ〜Ｄにそれぞれ対応する）。中間層（２）が上記の形状を有することによって天然歯の構造により近づけることができる。なお、前記断面としては、例えば、図４における仮想第二切断面（５）で割断した際の断面が含まれる。
【００２５】
中間層（２）の形状は、ボディ層（３）と同じでも異なってもよいが、支台歯を遮蔽する観点から、同じであることが好ましい。
【００２６】
ミルブランク部の形状は、治具を取り付けられる限り特に限定されず、中間層（２）を有する実施形態及び中間層（２）を有しない実施形態のいずれにおいても、例えば、角柱状とすることができ、製造上の観点から四角柱状が好ましい。
【００２７】
各層における色調及び透光性の好適な態様について以下に説明する。なお、色調を示す尺度としては、例えば、Ｌ＊ａ＊ｂ＊表色系における色度のＬ＊、ａ＊、ｂ＊などを用いることができる。透光性を示す尺度としては、例えば、Ｌ＊ａ＊ｂ＊表色系におけるΔＬ＊などを用いることができる。これらは、以下のようにして測定できる。
【００２８】
色調は、以下のようにして測定できる。各層を構成する材料によって、直径１４ｍｍ、厚さ１．２ｍｍの円板（その両面は＃６００研磨）を作製する。その円板について、コニカミノルタ株式会社製の分光測色計ＣＭ−３６１０Ａを用いて、Ｄ６５光源、測定モードＳＣＩ、測定径／照明径＝φ８ｍｍ／φ１１ｍｍ、白背景の条件にて、Ｌ＊ａ＊ｂ＊表色系（ＪＩＳ  Ｚ  ８７８１−４：２０１３  測色−第４部：ＣＩＥ  １９７６  Ｌ＊ａ＊ｂ＊色空間）における色度を測定する。
【００２９】
透光性は、以下のようにして測定できる。各層を構成する材料によって、直径１４ｍｍ、厚さ１．２ｍｍの円板（その両面は＃２０００研磨）を作製する。その円板について、コニカミノルタ株式会社製の分光測色計ＣＭ−３６１０Ａを用いてＤ６５光源にて測定した、Ｌ＊ａ＊ｂ＊表色系（ＪＩＳ  Ｚ  ８７８１−４：２０１３）における明度（色空間）のＬ＊値を用いて、次のように算出する。試料の背景を白色にして測定したＬ＊値を第１のＬ＊値とし、第１のＬ＊値を測定した同一の試料について、試料の背景を黒色にして測定したＬ＊値を第２のＬ＊値とし、第１のＬ＊値から第２のＬ＊値を控除した値（ΔＬ＊）を、透光性を示す数値とする。
【００３０】
ボディ層（３）においては、Ｌ＊ａ＊ｂ＊表色系における色度がＬ＊＝６４〜７７、ａ＊＝−１〜４、ｂ＊＝１１〜２７であることが好ましい。
【００３１】
ボディ層（３）の透光性ΔＬ＊は、２〜１３が好ましく、２〜１０がより好ましく、３〜７がさらに好ましい。透光性が前記範囲を満たすことにより色調遮蔽性を向上させ、天然歯と同等の色調を得ることができる。
【００３２】
エナメル層（１）おいては、Ｌ＊ａ＊ｂ＊表色系における色度がＬ＊＝６２〜７２、ａ＊＝−２〜２、ｂ＊＝５〜１９であることが好ましい。
【００３３】
エナメル層（１）の透光性ΔＬ＊は、７〜２０が好ましく、４〜１８がより好ましく、８〜１６がさらに好ましい。透光性が前記範囲を満たすことにより審美性に優れたミルブランク部とすることができる。
【００３４】
中間層（２）においては、Ｌ＊ａ＊ｂ＊表色系における色度がＬ＊＝６３〜７６、ａ＊＝−１〜４、ｂ＊＝１０〜２６であることが好ましい。
【００３５】
中間層（２）の透光性ΔＬ＊は、４〜１８が好ましく、５〜１７がより好ましく、６〜１１がさらに好ましい。透光性が前記範囲を満たすことによりボディ層（３）の色調を程よく浮き上がらせることができる。
【００３６】
ミルブランク部は、該積層構造において隣接した各層の色調及び／又は透光性が互いに異なることが天然歯の外観に近づける観点から好ましい。例えば、図１に示されるような、中間層（２）を有しない実施形態では、透光性について、ボディ層（３）の透光性ΔＬ＊＜エナメル層（１）の透光性ΔＬ＊の関係を満たすものが、天然歯の外観に近づける観点から好ましい。前記実施形態では、エナメル層（１）の透光性ΔＬ＊とボディ層（３）の透光性ΔＬ＊の差は、１〜９が好ましく、２〜８がより好ましく、３〜７がさらに好ましい。前記実施形態では、エナメル層（１）のＬ＊値、ａ＊値及びｂ＊値＜ボディ層（３）のＬ＊値、ａ＊値及びｂ＊値の関係を満たすものが、天然歯の外観に近づける観点から好ましい。
【００３７】
また、図４に示されるような、エナメル層（１）及びボディ層（３）に加えて、中間層（２）を有する実施形態では、透光性について、ボディ層（３）の透光性ΔＬ＊＜中間層（２）の透光性ΔＬ＊＜エナメル層（１）の透光性ΔＬ＊の関係を満たすものが、天然歯の外観に近づける観点から好ましい。前記実施形態では、エナメル層（１）の透光性ΔＬ＊と中間層（２）の透光性ΔＬ＊の差は、１〜９が好ましく、２〜８がより好ましく、３〜７がさらに好ましい。中間層（２）の透光性ΔＬ＊とボディ層（３）の透光性ΔＬ＊の差は、１〜９が好ましく、２〜８がより好ましく、３〜７がさらに好ましい。前記実施形態では、エナメル層（１）のＬ＊値、ａ＊値及びｂ＊値＜ボディ層（３）のＬ＊値、ａ＊値及びｂ＊値の関係を満たすものが、天然歯の外観に近づける観点から好ましい。さらに、前記実施形態では、エナメル層（１）のＬ＊値、ａ＊値及びｂ＊値＜中間層（２）のＬ＊値、ａ＊値及びｂ＊値の関係を満たすものが、天然歯の外観に近づける観点から好ましい。
【００３８】
ミルブランク部は、ジルコニア、ガラスなどのセラミックスから構成されていてもよく、レジンから構成されていてもよいが、強度、耐久性の点からジルコニアであることが好ましく、加工のしやすさの点からジルコニア仮焼体がより好ましい。
【００３９】
前記ジルコニア仮焼体は、焼結された後に前述した各層の好適な色調、透光性を満たす目的で顔料や添加剤を含むことが好ましい。
【００４０】
前記顔料としては、歯科用組成物に用いられる公知の顔料（無機顔料、複合顔料、蛍光顔料等）を用いることができる。無機顔料としては、例えば、酸化ニッケル、酸化鉄赤、酸化クロム、酸化アルミニウム、酸化チタン等の酸化物等が挙げられる。また、複合顔料としては、例えば、Ｚｒ−Ｖ、Ｆｅ（Ｆｅ，Ｃｒ）2Ｏ4、（Ｎｉ，Ｃｏ，Ｆｅ）（Ｆｅ，Ｃｒ）2Ｏ4・ＺｒＳｉＯ4、（Ｃｏ，Ｚｎ）Ａｌ2Ｏ4等が挙げられる。蛍光顔料としては、例えば、Ｙ2ＳｉＯ5：Ｃｅ、Ｙ2ＳｉＯ5：Ｔｂ、（Ｙ，Ｇｄ，Ｅｕ）ＢＯ3、Ｙ2Ｏ3：Ｅｕ、ＹＡＧ：Ｃｅ、ＺｎＧａ2Ｏ4：Ｚｎ、ＢａＭｇＡｌ10Ｏ17：Ｅｕ等が挙げられる。
【００４１】
前記ジルコニア仮焼体は、歯科用製品として繰り返しの咀嚼運動に耐えるだけの耐チッピング性、及び耐クラック性や、曲げ強さを必要とする点で、安定化剤を含むことが好ましい。すなわち、焼成前のジルコニアに安定化剤を含ませることが好ましい。これにより、歯科用製品の基材となる、焼成後のジルコニア焼結体が、部分安定化ジルコニア及び完全安定化ジルコニアの少なくとも一方をマトリックス相として有することができる。前記ジルコニア焼結体において、ジルコニアの主たる結晶相は正方晶及び立方晶の少なくとも一方であり、正方晶及び立方晶の両方を含有してもよい。また、前記ジルコニア焼結体は単斜晶を実質的に含有しないものが好ましい。実質的に単斜晶を含有しないとは、ジルコニア焼結体における単斜晶の含有量が５．０質量％未満であり、好ましくは１．０質量％未満である。なお、安定化剤を添加して部分的に安定化させたジルコニアは、部分安定化ジルコニア（ＰＳＺ；Partially Stabilized Zirconia）と呼ばれ、完全に安定化させたジルコニアは完全安定化ジルコニアと呼ばれている。
【００４２】
前記安定化剤としては、酸化イットリウム（Ｙ2Ｏ3）（以下、「イットリア」という。）、酸化チタン（ＴｉＯ2）、酸化カルシウム（カルシア；ＣａＯ）、酸化マグネシウム（マグネシア；ＭｇＯ）、酸化セリウム（セリア；ＣｅＯ2）、酸化アルミニウム（アルミナ；Ａｌ2Ｏ3）、酸化スカンジウム（Ｓｃ2Ｏ3）、酸化ランタン（Ｌａ2Ｏ3）、酸化エルビウム（Ｅｒ2Ｏ3）、酸化プラセオジム（Ｐｒ6Ｏ11）、酸化サマリウム（Ｓｍ2Ｏ3）、酸化ユウロピウム（Ｅｕ2Ｏ3）及び酸化ツリウム（Ｔｍ2Ｏ3）からなる群から選ばれた酸化物の少なくとも１種であることが好ましい。特に、高い透光性と強度向上の点から、安定化剤としてイットリアが好ましい。これらは、１種単独で用いてもよく、２種以上を併用してもよい。
【００４３】
安定化剤がイットリアを含有する場合、イットリアの含有量は、ジルコニアと安定化剤の合計１００モル％において、２〜８モル％が好ましく、３〜６モル％がより好ましい。この含有量であれば、単斜晶への相転移を抑制すると共に、ジルコニア焼結体の透明性を高めることができる。
【００４４】
安定化剤として酸化チタンを含有する場合、酸化チタンの含有量は、ジルコニアと安定化剤の合計１００モル％において、０．１〜１モル％が好ましく、０．１〜０．３モル％がより好ましい。
【００４５】
安定化剤として酸化カルシウムを含有する場合、酸化カルシウムの含有量は、ジルコニアと安定化剤の合計１００モル％において、２〜１５モル％が好ましく、２．１〜１２モル％がより好ましい。
【００４６】
安定化剤として酸化マグネシウムを含有する場合、酸化マグネシウムの含有量は、ジルコニアと安定化剤の合計１００モル％において、２〜１２モル％が好ましく、２．１〜１０モル％がより好ましい。
【００４７】
安定化剤として酸化セリウムを含有する場合、酸化セリウムの含有量は、ジルコニアと安定化剤の合計１００モル％において、２〜１８モル％が好ましく、２．１〜１２モル％がより好ましい。
【００４８】
安定化剤として酸化アルミニウムを含有する場合、酸化アルミニウムの含有量は、ジルコニアと安定化剤の合計１００モル％において、０．１〜１モル％が好ましく、０．１〜０．３モル％がより好ましい。
【００４９】
安定化剤として酸化スカンジウムを含有する場合、酸化スカンジウムの含有量は、ジルコニアと安定化剤の合計１００モル％において、０．１〜１モル％が好ましく、０．１〜０．３モル％がより好ましい。
【００５０】
安定化剤として酸化ランタンを含有する場合、酸化ランタンの含有量は、ジルコニアと安定化剤の合計１００モル％において、１〜１０モル％が好ましく、２〜７モル％がより好ましい。
【００５１】
安定化剤として酸化エルビウムを含有する場合、酸化エルビウムの含有量は、ジルコニアと安定化剤の合計１００モル％において、０．１〜１モル％が好ましく、０．１〜０．３モル％がより好ましい。
【００５２】
安定化剤として酸化プラセオジムを含有する場合、酸化プラセオジムの含有量は、ジルコニアと安定化剤の合計１００モル％において、０．１〜１モル％が好ましく、０．１〜０．３モル％がより好ましい。
【００５３】
安定化剤として酸化サマリウムを含有する場合、酸化サマリウムの含有量は、ジルコニアと安定化剤の合計１００モル％において、０．１〜１モル％が好ましく、０．１〜０．３モル％がより好ましい。
【００５４】
安定化剤として酸化ユウロピウムを含有する場合、酸化ユウロピウムの含有量は、ジルコニアと安定化剤の合計１００モル％において、０．１〜１モル％が好ましく、０．１〜０．３モル％がより好ましい。
【００５５】
安定化剤として酸化ツリウムを含有する場合、酸化ツリウムの含有量は、ジルコニアと安定化剤の合計１００モル％において、０．１〜１モル％が好ましく、０．１〜０．３モル％がより好ましい。
【００５６】
なお、ジルコニア焼結体中の安定化剤の含有量は、例えば、誘導結合プラズマ（ＩＣＰ；Inductively Coupled Plasma）発光分光分析、蛍光Ｘ線分析等によって測定することができる。
【００５７】
ミルブランクの製造方法の一例について以下に説明する。
【００５８】
この例では、ミルブランクの製造方法は、粉末プレス法にてボディ層（３）を仮成形し、仮成形体となったボディ層（３）をエナメル層（１）で覆い本プレス成形する工程を含む。
【００５９】
前記粉末プレス法とは、ある層を構成する粉体（例えば、ボディ層（３）を作製する場合、ジルコニア粉末）及び、顔料や添加剤などの成分が配合された粉体を用意し、金型中でパンチを用いてプレス成形する方法を表す。
【００６０】
仮成形時のプレスは従来公知の条件を用いることができるが、プレス圧は、後の本プレス成形より低い条件とする必要がある。得られる成形体（ミルブランク部）の密度は２．０〜４．０ｇ／ｃｍ3であることが好ましく、該密度を達成できる限り、本プレス成形の装置や条件は限定されない。
【００６１】
ミルブランク部が中間層（２）を有する場合、粉末プレス法にてボディ層（３）及び中間層（２）を仮成形し、仮成形体となったボディ層（３）及び中間層（２）をエナメル層（１）で覆い本プレス成形する工程を含むことが好ましい。より好ましくは、粉末プレス法にてボディ層（３）を仮成形し、得られたボディ層（３）を中間層（２）で覆い仮成形し、仮成形体となったボディ層（３）及び中間層（２）をエナメル層（１）で覆い本プレス成形する工程を含む。
【００６２】
典型的には、ボディ層（３）の仮成形時のプレス圧は、中間層（２）の仮成形時より低い条件とし、かつ中間層（２）の仮成形時の圧力は後の本プレス成形より低い条件とする。
【００６３】
得られる成形体（ミルブランク部）の密度は２．０〜４．０ｇ／ｃｍ3であることが好ましく、該密度を達成できる限り本プレス成形の装置や条件は限定されない。
【００６４】
ミルブランク部において、特定の形状を有するボディ層（３）を得るために、ボディ層（３）の仮成形に該形状を有する金型を用いてプレスしてもよく、通常の金型を用いてプレスした後に仮成形体を削って該形状に整えてもよい。該形状としては、前述したように、ボディ層（３）が底面及び側面を有し、かつ側面が底面に対して垂直な部分を有し得る形状であり、ボディ層（３）において、底面に垂直な少なくとも１つの断面が砲弾形の形状であることが好ましく、ミルブランクの製造方法において、ボディ層（３）を該形状に成形する工程を含むことが好ましい。
【００６５】
同様に特定の形状を有する中間層（２）を得るために、中間層（２）の仮成形に該形状を有する金型を用いてプレスしてもよく、通常の金型を用いてプレスした後に仮成形体を削って該形状に整えてもよい。該形状としては、前述したように、中間層（２）が底面及び側面を有し、かつ側面が底面に対して垂直な部分を有する形状であり、中間層（２）において、底面に垂直な少なくとも１つの断面が砲弾形の形状であることが好ましく、ミルブランクの製造方法において、中間層（２）を該形状に成形する工程を含むことが好ましい。
【００６６】
〔ミルブランク〕
ミルブランクは前記ミルブランク部を有し、当該ミルブランク部と支持部とを有することが好ましい。当該支持部によってミルブランクを加工機（例えば、ミリング装置）に固定することができる。支持部をミルブランク部に取り付ける方法に特に制限はなく、例えば、接着剤等によりミルブランク部と支持部とを接着することができる。
【００６７】
ミルブランクは歯科用途に使用され、例えば、歯科用ＣＡＤ／ＣＡＭシステムでの切削加工による、インレー、アンレー、ベニア、クラウン、ブリッジ、支台歯、歯科用ポスト、義歯、義歯床、インプラント部材（フィクスチャー、アバットメント）等の歯科用補綴物の作製などに好適に用いることができる。
【００６８】
［コンピュータで実行される方法］
現実の歯は、エナメル層を有する。エナメル層は、歯の表面を構成する。現実の歯は、さらに、エナメル層よりも内側の層を有する。歯の表面には、エナメル層の色調のみならず、内側の層の色調も現れる。このように、歯の表面の色調は、外側の層のみならず、内側の層にも依存する。
【００６９】
外側の層と内側の層を有するミルブランク部から、外側の層と内側の層を有する補綴物を作製することを考える。その場合、現実の歯と同様に、補綴物の表面の色調は、外側の層のみならず、内側の層にも依存する。
【００７０】
外側の層と内側の層を有する補綴物を表すデータ（補綴物データ）を作成することを考える。補綴物データの表面の色調は、外側の層のみならず内側の層も考慮すると、精度よく計算できる。精度のよい計算が可能であることは、補綴物の表面色調を精度よく推定できることを意味する。
【００７１】
そのような精度のよい推定は、適切な表面色調を有する補綴物を得るのに役立つ。以下、そのような推定をコンピュータによって行うための方法を、図７〜２２を参照しながら説明する。
【００７２】
図７は、そのような方法の一例を示すフローチャートである。図７のフローチャートの方法は、図８のブロック図に基づいて実行できる。
【００７３】
図８に示すシステム（１００）は、設計装置（４０）と、装置（５０）と、加工機（６０）と、を備える。設計装置（４０）は、例えば、ＣＡＤ装置である。加工機（６０）は、例えば、ミリング装置である。装置（５０）は、コンピュータ（５１）と、ディスプレイ（５２）と、を備える。コンピュータ（５１）は、プロセッサと、メモリと、を含む。
【００７４】
設計装置（４０）と、装置（５０）と、加工機（６０）とは、１つの施設に配置されていてもよく、互いに異なる施設に配置されてもよい。設計装置（４０）と、装置（５０）と、加工機（６０）とが、一体の機械を構成していてもよい。設計装置（４０）と、装置（５０）と、加工機（６０）とは、互いに異なる国に配置されていてもかまわない。設計装置（４０）と、装置（５０）と、加工機（６０）とは、一事業者によって所有されていてもよく、互いに異なる事業者によって所有されていてもよい。これらは、後述の参照実施形態の学習器（２００）及び加工機（６０）についても同様である。
【００７５】
方法は、コンピュータプログラムによって実行され得る。コンピュータプログラムは、コンピュータ読出可能な非一過性の記録媒体によって記録され得る。
【００７６】
方法は、図７のフローチャートに従って実行される。
【００７７】
ステップＳ１において、患者の口腔内の情報が取得される。
【００７８】
この例では、患者の口腔内の情報は、口腔内の構造の形状情報と、該構造の色調情報と、を含む。典型的には、この構造は、歯牙を含む。典型的には、形状情報は、構造のサイズ情報を含んでいる。形状情報によって、作製するべき補綴物の形状を決定することが可能となり、その補綴物の母材であるミルブランク部のサイズを決定することが可能となる。色調情報によって、作製するべき補綴物の色調を決定することが可能となり、ミルブランク部の色調を決定することが可能となる。
【００７９】
患者の口腔内の情報は、歯科医師、歯科衛生士、歯科技工士などの人間による目視によって、視覚情報として取得することができる。患者の口腔内の情報は、スキャナなどの計測機器によって、計測情報として取得することもできる。患者の口腔内の情報は、カメラによって、画像情報として取得することもできる。
【００８０】
取得された患者の口腔内の情報は、データとして記録される。以下では、口腔内の構造を表すデータを、プラットホームデータ（１１）と称することがある。この例では、プラットホームデータ（１１）は、形状データと、色調データを含む。典型的には、形状データは、サイズデータを含んでいる。
【００８１】
ステップＳ２において、ワークデータ（３１）が作成される。
【００８２】
ワークデータ（３１）は、加工に供されるミルブランク部を表すデータである。ワークデータ（３１）は、エナメル層（１）を表す外層（３２）と外層（３２）の内側に存在する内層（３３）とを有する。ワークデータ（３１）の各層間には境界が形成されている。典型的には、ワークデータ（３１）は、３次元すなわち立体的なデータである。
【００８３】
この例では、ワークデータ（３１）は、図１のミルブランク部を表すデータである。つまり、外層（３２）はエナメル層（１）を表し、内層（３３）はボディ層（３）を表す。外層（３２）と内層（３３）との間には、境界（３５）が形成されている。ワークデータ（３１）は、支持部を表す支持部データ（３９）と関連づけられていてもよい。
【００８４】
ワークデータ（３１）は、第１座標系で作成される。第１座標系として、直交座標系、回転座標系などの任意の座標系を用いることができる。第１座標系の原点は、例えば、ワークデータ（３１）の中心点である。
【００８５】
この例では、ミルブランクの候補が複数存在する。このことは、ミルブランク部の候補が複数存在することを意味する。それらの候補の中から、１つの候補が選択される。この選択は、コンピュータ（５１）の操作者によって、形状情報及び色調情報に基づいて行われる。具体的には、操作者は、形状情報に基づいて作製するべき補綴物のサイズを予想し、そのサイズをカバーできるのはどの候補なのかについて、検討をつける。また、操作者は、色彩情報に基づいて、上記予想上の補綴物の表面色調をその周囲の歯牙などの表面色調に調和させるのに適しているのはどの候補なのかについて、検討をつける。操作者は、これらの検討結果に基づいて、複数の候補の中から１つの候補を選択する。そのようにして選択されたミルブランク部を表すワークデータ（３１）が作成される。複数のミルブランク部の候補に対応するワークデータ（３１）の候補を予め準備しておき、選択したミルブランク部に対応するワークデータ（３１）をその候補の中から選択してもよい。本明細書では、このようなワークデータ（３１）の選択も、ワークデータ（３１）の作成に該当することとする。
【００８６】
ただし、コンピュータ（５１）は、形状情報及び色調情報に基づいてワークデータ（３１）を自動的に作成するように構成されていてもよい。
【００８７】
この例では、図８に示すように、ワークデータ（３１）の作成は、コンピュータ（５１）において行われる。ただし、ワークデータ（３１）の作成は、他の機器において行われてもよい。
【００８８】
作成されたワークデータ（３１）は、記録部に記録される。具体的には、作成されたワークデータ（３１）の各層の色調及び形状が、データとして記録部に記録される。記録部は、コンピュータ（５１）又は上記機器の構成要素であってもよく、これらの外付け記録媒体であってもよい。
【００８９】
色調データは、少なくとも１つの要素を含む。要素の例は、上述のＬ＊、ａ＊、ｂ＊、などである。また、要素の他の例は、ｃ＊＝（ａ＊2＋ｂ＊2）1/2で与えられる彩度である。要素の他の例は、ＸＹＺ表色系などの、Ｌ＊ａ＊ｂ＊表色系以外の要素である。
【００９０】
ステップＳ３において、補綴物形状データ（２０）が作成される。
【００９１】
補綴物形状データ（２０）は、ミルブランク部から得られる補綴物の形状を表す。典型的には、補綴物形状データ（２０）は、３次元すなわち立体的なデータである。
【００９２】
補綴物形状データ（２０）は、第２座標系で作成される。第２座標系として、直交座標系、回転座標系などの任意の座標系を用いることができる。
【００９３】
具体的には、ステップＳ３の補綴物形状データ（２０）は、プラットホームデータ（１１）に基づいて作成される。補綴物形状データ（２０）の作成について、図９〜１２を参照しながら説明する。
【００９４】
図９及び１０に、プラットホームデータ（１１）を示す。プラットホームデータ（１１）のうちのいずれの部分を利用して補綴物を設計するのかが決定される。具体的には、複数の区画点（１３）がプロットされる。図９では、説明の便宜上、これらの区画点（１３）を結ぶ点線（１４）を描いている。点線（１４）内に拡がる領域（１２）が、補綴物を設計するのに利用される。別の言い方をすると、複数の区画点（１３）に囲まれた領域（１２）が、補綴物を設計するのに利用される。
【００９５】
図１１及び１２の例では、領域（１２）に沿って、補綴物形状データ（２０）が作成される。具体的には、領域（１２）を覆うように、補綴物形状データ（２０）が作成される。
【００９６】
図９〜１２の例では、領域（１２）は、歯牙を表すデータである。この場合、領域（１２）を、歯牙データ（１２）と称することができる。
【００９７】
典型的には、第２座標系は、プラットホームデータ（１１）の座標系と、同じである。この場合、第２座標系を、プラットホーム座標系と称することができる。
【００９８】
この例では、図８に示す設計装置（４０）あるいはその操作者に、形状情報が与えられる。そして、操作者が、設計装置（４０）を用いて、形状情報に基づいて補綴物形状データ（２０）を作成する。ただし、設計装置（４０）は、形状情報に基づいて補綴物形状データ（２０）を自動的に作成するように構成されていてもよい。変形例では、コンピュータ（５１）に、形状情報が与えられる。そして、操作者がコンピュータ（５１）を用いて、あるいはコンピュータ（５１）が自動的に、形状情報に基づいて補綴物形状データ（２０）を作成する。
【００９９】
図７に戻って、ステップＳ４において、第１座標系と第２座標系とが一元化される。
【０１００】
図１３及び１４に、一元化された座標系を示す。この座標系には、ワークデータ（３１）と、補綴物形状データ（２０）と、が共存している。なお、図１３の例と図１４の例とでは、補綴物形状データ（２０）、外層（３２）及び内層（３３）の形状が異なる。
【０１０１】
図１４に示すように、ワークデータ（３１）に相対的な補綴物形状データ（２０）の位置及び姿勢は、変更可能である。図１４では、第１の位置にある補綴物形状データ（２０）に、符号（２０Ａ）が付されている。第２の位置にある補綴物形状データ（２０）に、符号（２０Ｂ）が付されている。図１４は、補綴物形状データ（２０）が第１の位置から第２の位置へと移動する様を表している。
【０１０２】
この例では、座標の一元化は、コンピュータ（５１）において実現される。一元化された座標におけるワークデータ（３１）及び補綴物形状データ（２０）は、ディスプレイ（５２）に表示される。補綴物形状データ（２０Ａ）と補綴物形状データ（２０Ｂ）の間の移動は、操作者が、ディスプレイ（５２）を見ながら、コンピュータ（５１）のマウスを用いて行うことができる。
【０１０３】
一元化された座標において、ワークデータ（３１）は、実サイズのミルブランクを任意の倍率で拡大又は縮小したサイズで表されてもよい。一元化された座標において、補綴物形状データ（２０）は、実サイズの補綴物を任意の倍率で拡大又は縮小したサイズて表されてもよい。両倍率は、例えば、コンピュータ（５１）の操作者によって適切に設定され得る。具体的には、ミルブランクの材料の焼成に伴うサイズ変更を考慮して（詳細は後述）、両倍率の比率は適切に設定され得る。
【０１０４】
図７に戻って、ステップＳ５において、補綴物形状データ（２０）の外側表面（２５）及び内側表面（２１）が定義される。
【０１０５】
図１２に示すように、内側表面（２１）は、補綴物形状データ（２０）のうち、領域（１２）に面する面である。外側表面（２５）は、補綴物形状データ（２０）のうち、内側表面（２１）からみて領域（１２）とは反対側に面する面である。
【０１０６】
内側表面（２１）は、例えば、以下のようにして定義される。まず、補綴物形状データ（２０）から、領域（１２）に面する複数の内側点（２２）が抽出される。図１２において、内側点（２２）は、「○」のマークで模式的に示されている。典型的には、抽出される内側点（２２）の数は、３つ以上である。これらの内側点（２２）を含む面が作成される。こうして作成された面が、内側表面（２１）として定義される。
【０１０７】
一具体例では、図１５に示すように、近接する３つの内側点（２２）を頂点とする三角形のセル（２３）が、複数個構成される。図１５において、複数のセル（２３）のうちの１つにハッチングを付している。複数のセル（２３）によって、メッシュ（２４）が構成される。メッシュ（２４）によって、内側表面（２１）が構成される。
【０１０８】
外側表面（２５）は、例えば、以下のようにして定義される。まず、補綴物形状データ（２０）から、内側表面（２１）からみて領域（１２）とは反対側に面する複数の外側点（２６）が抽出される。図１２において、外側点（２６）は、「×」のマークで模式的に示されている。典型的には、抽出される外側点（２６）の数は、３つ以上である。これらの外側点（２６）を含む面が作成される。こうして作成された面が、外側表面（２５）として定義される。
【０１０９】
一具体例では、図１６に示すように、近接する３つの外側点（２６）を頂点とする三角形のセル（２７）が、複数個構成される。図１６において、複数のセル（２７）のうちの１つにハッチングを付している。複数のセル（２７）によって、メッシュ（２８）が構成される。メッシュ（２８）によって、外側表面（２５）が構成される。
【０１１０】
図７に戻って、ステップＳ６において、ワークデータ（３１）と補綴物形状データ（２０）との相対位置が仮決定される。
【０１１１】
具体的には、補綴物形状データ（２０）の内側表面（２１）と、外層（３２）と内層（３３）との境界（３５）と、補綴物形状データ（２０）の外側表面（２６）と、がこの順に並ぶように、相対位置が調整される。そして、これらの要素の位置が、この調整がなされた位置に仮決定される。
【０１１２】
この例では、相対位置の調整は、操作者が、ディスプレイ（５２）を見ながら、コンピュータ（５１）のマウスを用いて補綴物形状データ（２０）を移動させることによって行う。ただし、相対位置の調整は、コンピュータ（５１）によって自動的に行われてもよい。
【０１１３】
図１７において、上記の仮決定がなされた状態における境界（３５）の位置を、点線で模式的に示している。図１２は断面図であるため、境界（３５）は線状に表されているが、実際には、境界（３５）は面状に拡がっている。
【０１１４】
補綴物形状データ（２０）の全体が、内側表面（２１）と境界（３５）と外側表面（２６）とがこの順に並ぶという条件を満たしていてもよい。補綴物形状データ（２０）の一部の領域がこの条件を満たしていなくてもよい。
【０１１５】
ステップＳ６のように相対位置が調整された調整状態においては、境界（３５）が、内側表面（２１）と境界（３５）と外側表面（２６）との間に配置される。以下、内側表面（２１）と境界（３５）との間の距離を、内側距離Ｌｉと称することがある。外側表面（２５）と境界（３５）との間の距離を、外側距離Ｌｏと称することがある。
【０１１６】
図７のステップＳ７においては、内側距離Ｌｉ及び外側距離Ｌｏが、コンピュータ（５１）によって計算される。
【０１１７】
内側距離Ｌｉ及び外側距離Ｌｏの計算について、図１８を参照しながら説明する。なお、図１８では、図面の見易さを考慮して、ワークデータ（３１）の外層（３２）の図示を省略している。また、図１８では、境界（３５）に含まれた１つの点に「△」マークを付している。図１８は、その「△」マークの点の周囲の拡大図も含んでいる。
【０１１８】
内側距離Ｌｉとして、内側点（２２）と境界（３５）との間の最短距離を採用できる。内側点（２２）と境界（３５）の間に存するピクセル又はボクセルの個数から概算される距離を、内側距離Ｌｉとして採用してもよい。
【０１１９】
内側距離Ｌｉとして、複数の距離の平均値を採用してもよい。例えば、内側距離Ｌｉとして、第１内側点（２２）と境界（３５）との間の最短距離と、第２内側点（２２）と境界（３５）との間の最短距離と、・・・第Ｍ内側点（２２）と境界（３５）との間の最短距離と、の平均値を採用してもよい。ここで、Ｍは、２以上の自然数である。こうして得られた平均値である内側距離Ｌｉは、典型的には、内側表面（２１）におけるこれら複数の内側点（２２）に囲まれた部分と、境界（３５）と、の間の距離として扱われる。
【０１２０】
外側距離Ｌｏとして、外側点（２６）と境界（３５）との間の最短距離を採用できる。外側点（２６）と境界（３５）の間に存するピクセル又はボクセルの個数から概算される距離を、外側距離Ｌｏとして採用してもよい。
【０１２１】
外側距離Ｌｏとして、複数の距離の平均値を採用してもよい。例えば、外側距離Ｌｏとして、第１外側点（２６）と境界（３５）との間の最短距離と、第２外側点（２６）と境界（３５）との間の最短距離と、・・・第Ｎ外側点（２６）と境界（３５）との間の最短距離と、の平均値を採用してもよい。ここで、Ｎは、２以上の自然数である。こうして得られた平均値である外側距離Ｌｏは、典型的には、外側表面（２６）におけるこれら複数の外側点（２６）に囲まれた部分と、境界（３５）と、の間の距離として扱われる。
【０１２２】
ステップＳ６のように相対位置が調整された調整状態においては、ワークデータ（３１）と補綴物形状データ（２０）との重複部分が現れる。以下、この重複部分を、仮想補綴物と称することがある。仮想補綴物の表面の色調を、仮想色調と称することがある。
【０１２３】
仮想補綴物の形状は、相対位置をミルブランク部の加工に反映させれば得られることが想定される計算上の補綴物の形状である。仮想色調は、当該計算上の補綴物の表面色調である。
【０１２４】
ミルブランク部の材料には、焼成により色調が変化するものと変化しないものとがある。典型的には、レジンは焼成されても色調が変化せず、セラミックは焼成されると色調が変化する。例えば、ジルコニアは、焼成されると色調が変化する。仮想色調に、焼成による色調の変化を反映させることができる。この例では、ミルブランク部の材料として焼成により色調が変化する材料を用いる場合、仮想色調は、その色調変化後の材料に基づいた表面色調を表す。
【０１２５】
ステップＳ８において、仮想色調が、コンピュータ（５１）によって計算される。
【０１２６】
具体的には、仮想色調は、内側距離Ｌｉと、外側距離Ｌｏと、外層（３２）の色調データと、内層（３３）の色調データと、に基づいて、コンピュータ（５１）によって計算される。ここで、「・・・の色調データに基づいて」は、色調データを構成する全ての要素を用いる態様のみならず、色調データを構成する一部の要素を用いる態様を含む概念である。各色調データは、上述の記録部から読み出され得る。
【０１２７】
ここで、内側距離Ｌｉと外側距離Ｌｏとの合計を総距離Ｌｔと定義する。この例では、総距離Ｌｔに対する外側距離Ｌｏの比率Ｌｏ／Ｌｔが大きいほど、外層（３２）の色調データの少なくとも一要素を、仮想色調に強く反映させる。総距離Ｌｔに対する内側距離Ｌｉの比率Ｌｉ／Ｌｔが大きいほど、内層（３３）の色調データの少なくとも一要素を、仮想色調に強く反映させる。要素は、例えば、上述のＬ＊、ａ＊、ｂ＊、ｃ＊などである。要素は、Ｌ＊ａ＊ｂ＊表色系以外の要素であってもよい。
【０１２８】
仮想色調のある要素の計算において、外層（３２）又は内層（３３）の色調データを無視してもよい。
【０１２９】
一具体例において、仮想色調の計算は、以下のようになされる。色調のある要素を、要素Ｅとする。外層（３２）の要素Ｅを表す数値を、ｖｏとする。内層（３３）の要素Ｅを表す数値を、ｖｉとする。仮想色調の要素Ｅを表す数値を、ｖｅとする。数値ｖｏ及び数値ｖｉは、色調データの要素に該当する。仮想色調の要素Ｅを表す数値ｖｅは、総距離Ｌｔと、内側距離Ｌｉと、外側距離Ｌｏと、数値ｖｉと、数値ｖｏと、係数Ｋｉと、係数Ｋｏとから、以下の数式に従って計算される。
ｖｅ＝Ｋｉ・ｖｉ・Ｌｉ／Ｌｔ＋Ｋｏ・ｖｏ・Ｌｏ／Ｌｔ
【０１３０】
本発明者は、仮想色調を数式で表現できることを、実際にペレットを作製することにより確認した。ペレットの作製方法は、以下のとおりである。まず、ボディ層（３）を構成する材料でできた円柱状の第１層と、エナメル層（１）を構成する材料でできた円柱状の第２層と、の積層体を作成する。次に、この積層体を焼結することによって、総厚み１．５ｍｍのペレットを得る。このような作製方法により、総厚み１．５ｍｍのペレットを複数個作製した。各ペレットでは、第１層と第２層の厚みを変更した。つまり、作製した各ペレットでは、総厚みは１．５ｍｍで同じであるものの、第２層の厚みＷ２に対する第１層の厚みＷ１の比率Ｗ１／Ｗ２が異なる。
【０１３１】
図１９の横軸は、比率Ｗ１／Ｗ２である。縦軸は、ｃ＊である。各プロットは、実際に作製した各ペレットの比率Ｗ１／Ｗ２及びｃ＊の関係を表す。図１９の直線は、最小二乗法により求めたこれらのプロットの近似直線である。図１９から、近似直線からの各プロットの乖離は小さいことが読み取れ、ｃ＊を数式で表現することが妥当であることが分かる。なお、図１９の近似直線は、ｙ＝０．２７９ｘ＋９．８１５である。ｙは、ｃ＊である。ｘは、比率Ｗ１／Ｗ２である。
【０１３２】
図７に戻って、ステップＳ９において、コンピュータ（５１）によって、仮想色調が表示される。
【０１３３】
具体的には、コンピュータ（５１）は、仮想色調をディスプレイ（５２）に表示させる。より具体的には、コンピュータ（５１）は、仮想色調を表す信号をディスプレイ（５２）に送信する。仮想色調の表示の態様は、特に限定されない。仮想色調の表示は、色調が付された画像の表示であってもよく、色調を表すテキストの表示であってもよい。
【０１３４】
ステップＳ１０において、仮想色調が適切か否かが判断される。仮想色調が適切である場合、ステップＳ１１に進む。仮想色調が適切でない場合、ステップＳ６に進み、そのステップＳ６において、前回のステップＳ６とは異なる相対位置への調整がなされ、その相対位置の仮決定がなされる。
【０１３５】
この例では、ステップＳ１０の判断は、コンピュータ（５１）の操作者によってなされる。
【０１３６】
ただし、ステップＳ１０の判断は、コンピュータ（５１）によって自動的になされてもよい。例えば、仮想色調の１又は複数の要素を表す数値が各々の閾値範囲に収まっているか否かに基づいて、そのような自動的な判断をすることができる。そのような自動的は判断が行われる場合、ステップＳ９は省略可能である。
【０１３７】
ステップＳ１１において、相対位置が本決定される。
【０１３８】
具体的には、ステップＳ１１では、直近のステップＳ６で仮設定された相対位置が、適切な相対位置として、本決定される。そして、本決定された相対位置に基づく仮想補綴物が反映された加工データが作成される。別の言い方をすると、加工データは、そのような仮想補綴物が反映された情報を含む。加工データは、補綴物を得るためのミルブランク部の加工に用いられる。この加工データは、加工機（６０）によって認識可能である。
【０１３９】
ステップＳ１２において、加工データが出力される。
【０１４０】
具体的には、ステップＳ１２では、加工データが、コンピュータ（５１）から出力される。この出力の態様は、特に限定されない。例えば、出力は、コンピュータ（５１）に取り付けられた外付け記録媒体をコンピュータ（５１）から取り外すことを伴ってもよい。また、出力は、加工データの無線又は有線による送信によってなされてもよい。
【０１４１】
ステップＳ１３において、加工データが加工機（６０）に入力される。
【０１４２】
具体的には、ステップＳ１３の入力の態様は、特に限定されない。例えば、入力は、上記外付け記録媒体を加工機（６０）に取り付けることによって、なされてもよい。また、入力は、加工データの無線又は有線による受信によってなされてもよい。
【０１４３】
ステップＳ１４において、ミルブランク部が加工機（６０）で加工される。
【０１４４】
具体的には、ステップＳ１４では、ステップＳ１３で入力された加工データに従って、ミルブランク部が加工機（６０）で加工される。加工データには、ステップＳ１１で本決定された相対位置に基づいた仮想補綴物が反映されている。そのような加工データが用いられるため、ステップＳ１４では、仮想補綴物に対応する補綴物が得られるように、ミルブランク部が加工され得る。加工は、例えば、切削である。
【０１４５】
この例では、上述のようにステップＳ２で複数の候補から選択されたミルブランクが、加工機（６０）にセットされる。セットするべきミルブランクが容易に分かるように、加工データには、セットされるべきミルブランクの情報（型番など）が紐づけられていてもよい。そのような情報が加工データとともに出力されるようにコンピュータ（５１）を構成することも可能である。例えば、歯科技工士などの人間が、そのような情報を参照し、適切なミルブランクをセットする。
【０１４６】
この例では、第１座標系の原点（以下、ワークデータ原点と称することがある）は、加工機（６０）の座標系の原点（以下、加工原点と称することがある）を表している。第１座標系に補綴物形状データ（２０）がインポートされることによってステップＳ４の座標系の一元化がなされているため、一元化された座標系の原点はワークデータ原点と同じである。ステップＳ１４では加工機（６０）に加工データが与えられ、加工データは、仮想補綴物が反映されており、かつ、ワークデータ原点を表す情報を含んでいる。このため、加工機（６０）は、加工データから、仮想補綴物の形状が反映された被加工体（ミルブランク部の加工したもの）の絶対位置を容易に認識できる。別の言い方をすると、加工機（６０）は、加工データから、ミルブランク部における加工により取り除かれるべき領域の絶対位置を容易に決定できる。このことは、ステップＳ１４においてミルブランク部を適切に加工する観点から有利である。
【０１４７】
ただし、ステップＳ４において、第２座標系にワークデータ（３１）がインポートされることによって、座標系の一元化を行うこともできる。
【０１４８】
図７のフローチャートに従った方法は、ワークデータ（３１）が図１のミルブランク部を表すデータである場合のみならず、ワークデータ（３１）が図３のミルブランク部を表すデータである場合にも適用可能である。つまり、外層がエナメル層（１）を表し、内層が中間層（２）及びボディ層（３）の組み合わせを表す場合にも適用可能である。
【０１４９】
以上の説明から理解されるように、本発明に係る方法は、コンピュータ（５１）で実行される方法であって、調整状態において、内側距離Ｌｉを計算することと、外側距離Ｌｏを計算することと、仮想色調を、内側距離Ｌｉと、外側距離Ｌｏと、外層（３２）の色調データと、内層（３３）の色調データと、に基づいて計算することと、を含む。このような方法によれば、得られるであろう補綴物の表面の色調をコンピュータ（５１）により推定できる。このため、この方法は、複数の層を含み適切な表面色調を有する補綴物を得るのに役立つ。具体的には、内側距離Ｌｉ、外側距離Ｌｏ及び仮想色調は、コンピュータ（５１）によって計算される。
【０１５０】
具体的には、上記方法は、仮想色調を表示することを含む。そのようにすれば、コンピュータ（５１）の操作者は、仮想色調を認識できる。具体的には、仮想色調は、コンピュータ（５１）によって、ディスプレイ（５２）に表示される。
【０１５１】
外側表面（２５）は、唇に面する部分を表す唇側部を含んでいてもよい。このようにすれば、唇側部の色調を表示することができる。このことは、補綴物における唇に面する部分に現れるであろう色調を確認できることを意味する。そのような確認ができれば、人の目につき易い当該部分の審美性を確保し易い。
【０１５２】
仮想色調を、歯牙データ（１２）の色調データに基づいて計算してもよい。ここで、歯牙データ（１２）は、歯牙を表すデータである。外層（３２）及び内層（３３）の色調データに加え、歯牙データ（１２）の色調データを利用すれば、仮想色調を正確に計算し易い。
【０１５３】
図１２に示すように、内側表面（２１）は、歯牙データ（１２）との間に隙間（１７）が生じるように形成されていてもよい。現実には、歯牙と補綴物とは、それらの間に介在するセメントによって接合される。隙間（１７）を考慮して内側表面（２１）を形成することにより、セメントの介在を考慮した補綴物形状データ（２０）を得ることができる。
【０１５４】
仮想色調を、セメントデータの色調データに基づいて生成してもよい。ここで、セメントデータは、歯牙と補綴物の間に介在されるセメントを表すデータである。外層（３２）及び内層（３３）の色調データに加え、セメントデータの色調データを利用すれば、仮想色調を正確に計算し易い。
【０１５５】
歯牙データ（１２）及びセメントデータの色調データは、外層（３２）及び内層（３３）の色調データと同様、上記記録部に記録され得る。
【０１５６】
図２０に示すように、内側表面（２１）は、凹面（２１ｃ）を有していてもよい。ワークデータ（３１）は、ミルブランク部を切削するための加工機（６０）におけるスピンドルが延びる方向を表すＺ軸（１５）を有していてもよい。調整状態は、切削可能条件が成立するように、相対位置が調整された状態であってもよい。ここで、切削可能条件は、Ｚ軸（１５）に平行に延び凹面（２１ｃ）と交差する全ての直線（ＳＬ）が、凹面（２１ｃ）と１回だけ交差するという条件である。このようにすれば、スピンドルによる切削により、凹面（２１ｃ）に対応する凹面を形成できる。図２１に、切削可能条件を満たしていない例を示す。図２１では、凹面（２１ｃ）と２回交差する直線（ＳＬ）が存在する。図２１の例では、凹面（２１ｃ）のうち矢印ＮＧ１と矢印ＮＧ２の間の部分は、実際にはスピンドルでは形成できない。しかし、切削可能条件が満たされていれば、そのような部分は生じない。
【０１５７】
内側表面（２１）が凹面（２１ｃ）を有している場合において、スピンドルで形成できない部分を発生させないあるいは少なくする観点から、凹面（２１ｃ）の開口面（２０оｆ）の法線からのＺ軸（１５）のずれを、例えば、０〜３５°にすることができる。なお、スピンドルで形成できない部分は、歯科技工士などの人間が形成できる。
【０１５８】
方法は、切削可能条件が成立していない場合において警告を行うことを含んでいてもよい。そのようにすれば、コンピュータ（５１）の操作者は、現在の調整状態では、スピンドルによる切削により凹面を形成できないことを知ることができる。警告は、情報の表示により行われてもよく、音により行われてもよい。具体的には、警告は、コンピュータ（５１）によって行われる。
【０１５９】
情報の表示による警告は、コンピュータ（５１）がディスプレイ（５２）に情報を表示させることによって実行できる。音による警告は、コンピュータ（５１）が装置（５０）における図示しないスピーカーに音を発せさせることによって実行できる。これらは、他の場合に行われる警告についても同様である。
【０１６０】
上記の例では、方法は、ミルブランク部の加工に用いられる加工データを出力することを含む。加工機（６０）においてミルブランク部を加工するのに用いられる加工座標系の原点を加工原点と定義し、ワークデータ（３０）を表すのに用いられる第１座標系の原点をワークデータ原点と定義したとき、ワークデータ原点は、加工原点を表す。仮想補綴物は、第１座標系で表されている。加工データには、仮想補綴物が反映されている。さらに、加工データは、ワークデータ原点を表す情報を含む。このようにすれば、加工機（６０）は、加工データから、ミルブランク部における加工により取り除かれるべき領域の絶対位置を容易に決定できる。このことは、ミルブランク部を適切に加工する観点から有利である。
【０１６１】
なお、この例では、「仮想補綴物が反映された加工データ」は、仮想補綴物の形状を表す情報を含むデータである。「仮想補綴物が反映された加工データ」は、以下の第１の場合と、第２の場合と、を包含した表現である。第１の場合は、仮想補綴物が表されている座標系における仮想補綴物のサイズが、加工データに基づいて得られる被加工体のサイズと同じである場合である。第２の場合は、仮想補綴物が表されている座標系における仮想補綴物のサイズが、加工データに基づいて得られる被加工体のサイズと異なる場合である。
【０１６２】
補綴物は、ミルブランク部を加工して被加工体を形成し、被加工体を焼成してサイズを１／Ｘ倍に変化させることによって得られるものであってもよい。具体的には、ミルブランク部の材料によっては、その被加工体は、焼成されるとサイズが変化することがある。例えば、ミルブランク部の材料がジルコニアなどのセラミックである場合、ミルブランク部の被加工体は、焼成されると収縮することがある。これを踏まえ、ワークデータ（３１）及び補綴物形状データ（２０）が表される座標系において、ワークデータ（３１）が、加工前かつ焼成前の実サイズのミルブランク部の１／Ｙ倍のサイズで表され、補綴物形状データ（２０）が、実サイズの補綴物のＺ倍のサイズで表されるようにしてもよい。ここで、Ｘは、１を除く正の値である。Ｙは、１を含む正の値である。Ｚは、１を含む正の値である。Ｘ＝Ｙ×Ｚである。このようにすれば、焼成によるサイズ変更を考慮した上で、ワークデータ（３１）と補綴物形状データ（２０）との重複部分が適切に現れる。
【０１６３】
方法は、Ｘ＝Ｙ×Ｚを満たすように、Ｙ及びＺを調整することを含んでいてもよい。この調整は、例えば、コンピュータ（５１）の操作者によって行われる。
【０１６４】
コンピュータ（５１）の操作者がＹ及びＺの一方を変化させると、Ｘ＝Ｙ×Ｚの関係が維持されるようにＹ及びＺの他方が自動的に変化するように、コンピュータ（５１）が構成されていてもよい。また、コンピュータ（５１）は、Ｘ＝Ｙ×Ｚの関係が満たされるように、Ｙ及びＺを自動的に決定するように構成されていてもよい。
【０１６５】
一例では、Ｘの値は、ミルブランク部の各候補に紐づけられた状態で記録部に記録されている。別例では、Ｘの値は、キーボードなどによってコンピュータ（５１）に入力される。Ｘとして、１を含む任意の正の値を用いることができる。上述のように、Ｘが１を除く正の値である場合に、焼成によるサイズ変更を考慮した重複部分が得られるという効果がもたらされる。
【０１６６】
上記の例では、方法は、ミルブランク部の加工に用いられる加工データを出力することを含む。加工データは、被加工体を表すデータであって仮想補綴物をＹ倍にサイズ変更したデータを含んでいてもよい。このような加工データを加工機（６０）に与えれば、加工機（６０）において、焼成によるサイズ変更を考慮した被加工体を得ることができ、ちょうどよいサイズの補綴物を得ることができる。例えば、焼成が収縮を伴う場合、補綴物のサイズよりも大きいサイズの被加工体を得ることができ、被加工体の焼成による収縮によりちょうどよいサイズの補綴物を得ることができる。具体的には、出力は、コンピュータ（５１）によって行われる。
【０１６７】
焼成が収縮を伴う場合、Ｘは、１よりも大きい。焼成が拡大を伴う場合、Ｘは、１よりも小さい。Ｘは、１よりも大きくてもよく、１よりも小さくてもよい。Ｘは、例えば、１／２〜２である。
【０１６８】
一具体例では、Ｙ＝Ｘであり、Ｚ＝１である。このようにすれば、ワークデータを、焼成による被加工体のサイズ変化倍率の分だけ、加工前かつ焼成前のミルブランク部をサイズ変更したデータとすることができる。また、補綴物形状データを、補綴物と同じサイズの形状を表すデータとすることができる。別の言い方をすると、焼成後のサイズを有する各種データが得られる。
【０１６９】
別の具体例では、Ｙ＝１であり、Ｚ＝Ｘである。このようにすれば、ワークデータを、加工前かつ焼成前のミルブランク部と同じサイズのデータとすることができる。また、補綴物形状データを、被加工体と同じサイズの形状を表すデータとすることができる。別の言い方をすると、焼成前のサイズを有する各種データが得られる。
【０１７０】
方法は、補綴物形状データ（２０）がワークデータ（３１）からはみ出している場合において、警告を行うことを含んでいてもよい。そのようにすれば、コンピュータ（５１）の操作者は、現在の調整状態における補綴物形状データ（２０）に対応する補綴物を得ることができないことを知ることができる。警告は、情報の表示により行われてもよく、音により行われてもよい。具体的には、警告は、コンピュータ（５１）によって行われる。
【０１７１】
本発明は、上記方法を実行するための装置（５０）であって、コンピュータ（５１）を含む、装置（５０）を開示する。
【０１７２】
一具体例では、ワークデータ（３１）及び補綴物形状データ（２０）が表される座標系において、ワークデータ（３１）は、加工前かつ焼成前の実サイズのミルブランク部の１／Ｙ倍のサイズで表される。この座標系において、補綴物形状データ（２０）は、実サイズの補綴物のＺ倍のサイズで表される。コンピュータ（５１）は、Ｙ及びＺを調整できるように構成されている。Ｙは、１を含む正の値であり、Ｚは、１を含む正の値である。
【０１７３】
先に述べたように、補綴物は、ミルブランク部を加工して被加工体を形成し、被加工体を焼成してサイズを１／Ｘ倍に変化させることによって得られるものであってもよい。この場合において、コンピュータ（５１）の操作者がＹ及びＺの一方を変化させると、Ｘ＝Ｙ×Ｚの関係が維持されるようにＹ及びＺの他方が自動的に変化するように、コンピュータ（５１）が構成されていてもよい。また、コンピュータ（５１）は、Ｘ＝Ｙ×Ｚの関係が満たされるように、Ｙ及びＺを自動的に決定するように構成されていてもよい。
【０１７４】
先に述べたように、一例では、Ｘの値は、ミルブランク部の各候補に紐づけられた状態で記録部に記録されている。別例では、Ｘの値は、キーボードなどによってコンピュータ（５１）に入力される。Ｘとして、１を含む任意の正の値を用いることができる。
【０１７５】
一具体例では、コンピュータ（５１）は、ミルブランク部を加工して被加工体を形成するのに用いられる加工データを出力する。加工データは、被加工体を表すデータであって仮想補綴物をＹ倍にサイズ変更したデータを含む。
【０１７６】
本発明は、上記装置（５０）と、加工機（６０）と、を備えたシステム（１００）であって、加工機（６０）は、仮想補綴物が反映された加工データに基づいて、ミルブランク部を加工する、システム（１００）を開示する。
【０１７７】
本発明は、コンピュータ（５１）による実行時において、上記の方法をコンピュータ（５１）に実行させる指示を備えた、コンピュータプログラムを開示する。
【０１７８】
一具体例では、ワークデータ（３１）及び補綴物形状データ（２０）が表される座標系において、ワークデータ（３１）は、加工前かつ焼成前の実サイズのミルブランク部の１／Ｙ倍のサイズで表される。この座標系において、補綴物形状データ（２０）は、実サイズの補綴物のＺ倍のサイズで表される。コンピュータプログラムは、コンピュータ（５１）を、Ｙ及びＺを調整できるようにする。Ｙは、１を含む正の値であり、Ｚは、１を含む正の値である。
【０１７９】
先に述べたように、補綴物は、ミルブランク部を加工して被加工体を形成し、被加工体を焼成してサイズを１／Ｘ倍に変化させることによって得られるものであってもよい。この場合において、コンピュータ（５１）の操作者がＹ及びＺの一方を変化させると、Ｘ＝Ｙ×Ｚの関係が維持されるようにＹ及びＺの他方が自動的に変化するように、コンピュータプログラムが構成されていてもよい。また、コンピュータプログラムは、Ｘ＝Ｙ×Ｚの関係が満たされるように、Ｙ及びＺをコンピュータ（５１）が自動的に決定するように構成されていてもよい。
【０１８０】
先に述べたように、一例では、Ｘの値は、ミルブランク部の各候補に紐づけられた状態で記録部に記録されている。別例では、Ｘの値は、キーボードなどによってコンピュータ（５１）に入力される。Ｘとして、１を含む任意の正の値を用いることができる。
【０１８１】
一具体例では、コンピュータプログラムは、コンピュータ（５１）に、ミルブランク部を加工して被加工体を形成するのに用いられる加工データの出力を実行させる。加工データは、被加工体を表すデータであって仮想補綴物をＹ倍にサイズ変更したデータを含む。
【０１８２】
本発明は、上記のコンピュータプログラムが記録された、コンピュータ読出可能な非一過性の記録媒体を開示する。記録媒体は、オフラインの記録媒体であってもよく、オンライン上の記録媒体であってもよい。オフラインの記録媒体は、例えば、ＨＤＤ、ＳＤカード、ＵＳＢメモリなどの半導体記録媒体、フレキシブルディスクなどの磁気記録媒体、ＭＯなどの光磁気記録媒体、ＣＤ、ＤＶＤなどの光学記録媒体、などである。オンライン上の記録媒体は、例えば、クラウドサーバー、ＦＴＰサーバー、ネットワークストレージなどである。
【０１８３】
本発明は、メモリとプロセッサとを含む装置（５０）であって、
加工に供されるミルブランク部を表すデータであってエナメル層（１）を表す外層（３２）と外層（３２）の内側に存在する内層（３３）とを有するデータをワークデータ（３１）と定義し、ミルブランク部から得られる補綴物の形状を表すデータを補綴物形状データ（２０）と定義したとき、
補綴物形状データ（２０）の内側表面（２１）と、外層（３２）と内層（３３）との境界（３５）と、補綴物形状データ（２０）の外側表面（２５）と、がこの順に並ぶように、ワークデータ（３１）と補綴物形状データ（２０）の相対位置が調整された調整状態において、プロセッサは、
内側表面（２１）と境界（３５）との間の距離である内側距離Ｌｉを計算し、
外側表面（２５）と境界（３５）との間の距離である外側距離Ｌｏを計算し、
ワークデータ（３１）と補綴物形状データ（２０）との重複部分を仮想補綴物と定義し、仮想補綴物の表面の色調を仮想色調と定義したとき、仮想色調を、内側距離Ｌｉと、外側距離Ｌｏと、外層（３２）の色調データと、内層（３３）の色調データと、に基づいて計算する、装置（５０）を開示する。
【０１８４】
本発明は、メモリとプロセッサとを含む装置（５０）と、加工機（６０）と、を備えたシステム（１００）であって、
加工に供されるミルブランク部を表すデータであってエナメル層（１）を表す外層（３２）と外層（３２）の内側に存在する内層（３３）とを有するデータをワークデータ（３１）と定義し、ミルブランク部から得られる補綴物の形状を表すデータを補綴物形状データ（２０）と定義したとき、
補綴物形状データ（２０）の内側表面（２１）と、外層（３２）と内層（３３）との境界（３５）と、補綴物形状データ（２０）の外側表面（２５）と、がこの順に並ぶように、ワークデータ（３１）と補綴物形状データ（２０）の相対位置が調整された調整状態において、プロセッサは、
内側表面（２１）と境界（３５）との間の距離である内側距離Ｌｉを計算し、
外側表面（２５）と境界（３５）との間の距離である外側距離Ｌｏを計算し、
ワークデータ（３１）と補綴物形状データ（２０）との重複部分を仮想補綴物と定義し、仮想補綴物の表面の色調を仮想色調と定義したとき、仮想色調を、内側距離Ｌｉと、外側距離Ｌｏと、外層（３２）の色調データと、内層（３３）の色調データと、に基づいて計算し、
加工機（６０）は、仮想補綴物が反映された加工データに基づいて、ミルブランク部を加工する、システム（１００）を開示する。
【０１８５】
本発明は、コンピュータプログラムであって、
加工に供されるミルブランク部を表すデータであってエナメル層（１）を表す外層（３２）と外層（３２）の内側に存在する内層（３３）とを有するデータをワークデータ（３１）と定義し、ミルブランク部から得られる補綴物の形状を表すデータを補綴物形状データ（２０）と定義したとき、
補綴物形状データ（２０）の内側表面（２１）と、外層（３２）と内層（３３）との境界（３５）と、補綴物形状データ（２０）の外側表面（２５）と、がこの順に並ぶように、ワークデータ（３１）と補綴物形状データ（２０）の相対位置が調整された調整状態において、コンピュータ（５１）に、
内側表面（２１）と境界（３５）との間の距離である内側距離Ｌｉを計算することと、
外側表面（２５）と境界（３５）との間の距離である外側距離Ｌｏを計算することと、
ワークデータ（３１）と補綴物形状データ（２０）との重複部分を仮想補綴物と定義し、仮想補綴物の表面の色調を仮想色調と定義したとき、仮想色調を、内側距離Ｌｉと、外側距離Ｌｏと、外層（３２）の色調データと、内層（３３）の色調データと、に基づいて計算することと、を実行させる、コンピュータプログラムを開示する。
【０１８６】
本発明は、コンピュータ読出可能な非一過性の記録媒体であって、
加工に供されるミルブランク部を表すデータであってエナメル層（１）を表す外層（３２）と外層（３２）の内側に存在する内層（３３）とを有するデータをワークデータ（３１）と定義し、ミルブランク部から得られる補綴物の形状を表すデータを補綴物形状データ（２０）と定義したとき、
補綴物形状データ（２０）の内側表面（２１）と、外層（３２）と内層（３３）との境界（３５）と、補綴物形状データ（２０）の外側表面（２５）と、がこの順に並ぶように、ワークデータ（３１）と補綴物形状データ（２０）の相対位置が調整された調整状態において、コンピュータ（５１）に、
内側表面（２１）と境界（３５）との間の距離である内側距離Ｌｉを計算することと、
外側表面（２５）と境界（３５）との間の距離である外側距離Ｌｏを計算することと、
ワークデータ（３１）と補綴物形状データ（２０）との重複部分を仮想補綴物と定義し、仮想補綴物の表面の色調を仮想色調と定義したとき、仮想色調を、内側距離Ｌｉと、外側距離Ｌｏと、外層（３２）の色調データと、内層（３３）の色調データと、に基づいて計算することと、を実行させるコンピュータプログラムが記録された記録媒体を開示する。記録媒体は、オフラインの記録媒体であってもよく、オンライン上の記録媒体であってもよい。オフラインの記録媒体は、例えば、ＨＤＤ、ＳＤカード、ＵＳＢメモリなどの半導体記録媒体、フレキシブルディスクなどの磁気記録媒体、ＭＯなどの光磁気記録媒体、ＣＤ、ＤＶＤなどの光学記録媒体、などである。オンライン上の記録媒体は、例えば、クラウドサーバー、ＦＴＰサーバー、ネットワークストレージなどである。
【０１８７】
[参考実施形態１：学習器を用いた加工データの作成]
図７などを参照して説明した上記実施形態では、距離Ｌｉ、距離Ｌｏ及び仮想色調の計算結果に基づいて、加工用の加工データを作成した。しかし、加工データを、学習器（２００）を用いて作成することもできる。以下、図２２を参照しつつ、学習器（２００）を用いて加工データを作成する参考実施形態１について、説明する。なお、参考実施形態１では、図７などを参照して説明した上記実施形態と同様の内容については、説明を省略することがある。
【０１８８】
学習器（２００）は、教師データ及び正解ラベルの組み合わせを複数組用いた教師あり学習を行う。図２２の例では、教師データは、補綴物形状データ及びリファレンス色調データに対応する。正解ラベルは、加工データに対応する。学習器（２００）は、教師あり学習後において、補綴物形状データ及びリファレンス色調データに基づいて加工データを作成する。
【０１８９】
このようにすれば、補綴物形状データ及びリファレンス色調データが反映された加工データを作成できる。具体的には、適切な教師データ及び正解ラベルにより学習器（２００）に教師あり学習を行わせることによって、補綴物形状データ及びリファレンス色調データから加工データを適切に作成できる学習器（２００）を得ることができる。そのようにして得られた学習器（２００）によれば、適切な表面色調を有する補綴物を得ることができる。このため、参考実施形態１の方法は、複数の層を含み適切な表面色調を有する補綴物を得るのに役立つ。
【０１９０】
リファレンス色調データとして、歯牙データ（１２）の色調データを用いることができる。リファレンス色調データは、人為的に定められた目標色調データであってもよい。
【０１９１】
教師データ及び正解ラベルは、例えば、図７などを参照して説明した上記実施形態で加工データを作成しているときに、得ることができる。具体的には、教師データとして、図７のステップＳ３で作成した補綴物形状データと、歯牙データ（１２）の色調データと、を採用できる。また、教師データとして、図７のステップＳ３で作成した補綴物形状データと、コンピュータ（５１）の操作者が定めた目標色調データと、を採用できる。正解ラベルとして、ステップＳ１２で出力される加工データを採用できる。
【０１９２】
図７のステップＳ２に関して説明したとおり、ミルブランク部の候補が複数存在する場合がある。学習器（２００）は、その候補を予め認識していてもよい。そのようにすれば、有限個の候補のいずれかのミルブランク部が採用されるという制約が課されるため、学習器（２００）による計算がシンプル化され、結果的に適切な表面色調を有する補綴物を得易くなる。図７を参照して説明した実施形態と同様、加工データには、セットされるべきミルブランク部の情報（型番など）が紐づけられていてもよい。そのような情報が加工データとともに出力されるように学習器（２００）を構成することも可能である。
【０１９３】
学習機（２００）は、上記複数の候補に対応するワークデータ（３１）の候補を予め有していてもよい。そして、学習機（２００）は、加工データに対応する仮想色調を表示するように構成されていてもよい。具体的には、学習機（２００）は、そのような表示をディスプレイに表示させるように構成されていてもよい。より具体的には学習機（２００）は、仮想色調を表す信号をディスプレイに送信するよう構成されていてもよい。
【０１９４】
学習器（２００）は、プロセッサと、メモリと、によって構成できる。学習器（２００）は、例えば、ニューラルネットワークである。
【０１９５】
参考実施形態１に係る方法は、コンピュータプログラムによって実行され得る。コンピュータプログラムは、コンピュータ読出可能な非一過性の記録媒体によって記録され得る。
【０１９６】
参考実施形態１から、以下の発明が導かれる。
ミルブランク部から得られる補綴物の形状を表すデータを補綴物形状データと定義し、補綴物を得るためのミルブランク部の加工に用いられるデータを加工データと定義したとき、
学習器（２００）によって、補綴物形状データ及びリファレンス色調データに対応する教師データと加工データに対応する正解ラベルとの組み合わせを複数組用いた教師あり学習を行うことを含む、学習方法。
【０１９７】
参考実施形態１から、以下の発明が導かれる。
ミルブランク部から得られる補綴物の形状を表すデータを補綴物形状データと定義し、補綴物を得るためのミルブランク部の加工に用いられるデータを加工データと定義したとき、
学習器（２００）によって、補綴物形状データ及びリファレンス色調データから、加工データを作成することを含む、方法。
【０１９８】
参考実施形態１から、以下の発明が導かれる。
ミルブランク部から得られる補綴物の形状を表すデータを補綴物形状データと定義し、補綴物を得るためのミルブランク部の加工に用いられるデータを加工データと定義したとき、
学習器（２００）によって、補綴物形状データ及びリファレンス色調データに対応する教師データと加工データに対応する正解ラベルとの組み合わせを複数組用いた教師あり学習を行うことと、
教師あり学習後において、学習器（２００）によって、補綴物形状データ及びリファレンス色調データから、加工データを作成することと、を含む、方法。
【０１９９】
参考実施形態１は、上記のいずれかの方法を実行するための学習器（２００）を開示する。
【０２００】
上記学習器（２００）と、加工機（６０）とを備え、加工機（６０）は、加工データに基づいてミルブランク部を加工する、システム（３００）を構成することもできる。
【０２０１】
参考実施形態１は、コンピュータによる実行時において、上記のいずれかの方法をコンピュータに実行させる指示を備えた、コンピュータプログラムを開示する。
【０２０２】
参考実施形態１は、上記のコンピュータプログラムが記録された、コンピュータ読出可能な非一過性の記録媒体を開示する。記録媒体は、オフラインの記録媒体であってもよく、オンライン上の記録媒体であってもよい。オフラインの記録媒体は、例えば、ＨＤＤ、ＳＤカード、ＵＳＢメモリなどの半導体記録媒体、フレキシブルディスクなどの磁気記録媒体、ＭＯなどの光磁気記録媒体、ＣＤ、ＤＶＤなどの光学記録媒体、などである。オンライン上の記録媒体は、例えば、クラウドサーバー、ＦＴＰサーバー、ネットワークストレージなどである。
【０２０３】
参考実施形態１に係る発明は、メモリとプロセッサとを含む装置であって、
メモリ及びプロセッサを含む学習器（２００）が構成され、
ミルブランク部から得られる補綴物の形状を表すデータを補綴物形状データと定義し、補綴物を得るためのミルブランク部の加工に用いられるデータを加工データと定義したとき、  
学習器（２００）は、補綴物形状データ及びリファレンス色調データに対応する教師データと加工データに対応する正解ラベルとの組み合わせを複数組用いた教師あり学習を行う、装置を開示する。
【０２０４】
参考実施形態１に係る発明は、メモリとプロセッサとを含む装置であって、
メモリ及びプロセッサを含む学習器（２００）が構成され、
ミルブランク部から得られる補綴物の形状を表すデータを補綴物形状データと定義し、補綴物を得るためのミルブランク部の加工に用いられるデータを加工データと定義したとき、  
学習器（２００）は、補綴物形状データ及びリファレンス色調データから、加工データを作成する、装置を開示する。
【０２０５】
参考実施形態１に係る発明は、メモリとプロセッサとを含む装置であって、
メモリ及びプロセッサを含む学習器（２００）が構成され、
ミルブランク部から得られる補綴物の形状を表すデータを補綴物形状データと定義し、補綴物を得るためのミルブランク部の加工に用いられるデータを加工データと定義したとき、
学習器（２００）は、
補綴物形状データ及びリファレンス色調データに対応する教師データと加工データに対応する正解ラベルとの組み合わせを複数組用いた教師あり学習を行い、    
教師あり学習後において、学習器（２００）によって、補綴物形状データ及びリファレンス色調データから、加工データを作成する、装置を開示する。
【０２０６】
参考実施形態１に係る発明は、メモリとプロセッサとを含む装置と、加工機（６０）と、を備えたシステム（３００）であって、
メモリ及びプロセッサを含む学習器（２００）が構成され、
ミルブランク部から得られる補綴物の形状を表すデータを補綴物形状データと定義し、補綴物を得るためのミルブランク部の加工に用いられるデータを加工データと定義したとき、
加工機（６０）は、加工データに基づいて、ミルブランク部を加工し、
学習器（２００）は、補綴物形状データ及びリファレンス色調データに対応する教師データと加工データに対応する正解ラベルとの組み合わせを複数組用いた教師あり学習を行う、システム（３００）を開示する。
【０２０７】
参考実施形態１に係る発明は、メモリとプロセッサとを含む装置と、加工機（６０）と、を備えたシステム（３００）であって、
メモリ及びプロセッサを含む学習器（２００）が構成され、
ミルブランク部から得られる補綴物の形状を表すデータを補綴物形状データと定義し、補綴物を得るためのミルブランク部の加工に用いられるデータを加工データと定義したとき、
学習器（２００）は、補綴物形状データ及びリファレンス色調データから、加工データを作成し、
加工機（６０）は、加工データに基づいて、ミルブランク部を加工する、システム（３００）を開示する。
【０２０８】
参考実施形態１に係る発明は、メモリとプロセッサとを含む装置と、加工機（６０）と、を備えたシステム（３００）であって、
メモリ及びプロセッサを含む学習器（２００）が構成され、
ミルブランク部から得られる補綴物の形状を表すデータを補綴物形状データと定義し、補綴物を得るためのミルブランク部の加工に用いられるデータを加工データと定義したとき、
学習器（２００）は、
補綴物形状データ及びリファレンス色調データに対応する教師データと加工データに対応する正解ラベルとの組み合わせを複数組用いた教師あり学習を行い、
教師あり学習後において、学習器（２００）によって、補綴物形状データ及びリファレンス色調データから、加工データを作成し、
加工機（６０）は、加工データに基づいて、ミルブランク部を加工する、システム（３００）を開示する。
【０２０９】
参考実施形態１に係る発明は、コンピュータプログラムであって、
ミルブランク部から得られる補綴物の形状を表すデータを補綴物形状データと定義し、補綴物を得るためのミルブランク部の加工に用いられるデータを加工データと定義したとき、
コンピュータに、補綴物形状データ及びリファレンス色調データに対応する教師データと加工データに対応する正解ラベルとの組み合わせを複数組用いた教師あり学習を実行させる、コンピュータプログラムを開示する。
【０２１０】
参考実施形態１に係る発明は、コンピュータプログラムであって、
ミルブランク部から得られる補綴物の形状を表すデータを補綴物形状データと定義し、補綴物を得るためのミルブランク部の加工に用いられるデータを加工データと定義したとき、
コンピュータに、補綴物形状データ及びリファレンス色調データから、加工データを作成することを実行させる、コンピュータプログラムを開示する。
【０２１１】
参考実施形態１に係る発明は、コンピュータプログラムであって、
ミルブランク部から得られる補綴物の形状を表すデータを補綴物形状データと定義し、補綴物を得るためのミルブランク部の加工に用いられるデータを加工データと定義したとき、
コンピュータに、
補綴物形状データ及びリファレンス色調データに対応する教師データと加工データに対応する正解ラベルとの組み合わせを複数組用いた教師あり学習と、
教師あり学習後において、学習器（２００）によって、補綴物形状データ及びリファレンス色調データから、加工データを作成することと、を実行させる、コンピュータプログラムを開示する。
【０２１２】
参考実施形態１に係る発明は、コンピュータ読出可能な非一過性の記録媒体であって、
ミルブランク部から得られる補綴物の形状を表すデータを補綴物形状データと定義し、補綴物を得るためのミルブランク部の加工に用いられるデータを加工データと定義したとき、
コンピュータに、補綴物形状データ及びリファレンス色調データに対応する教師データと加工データに対応する正解ラベルとの組み合わせを複数組用いた教師あり学習を実行させる、コンピュータプログラムが記録された記録媒体を開示する。
【０２１３】
参考実施形態１に係る発明は、コンピュータ読出可能な非一過性の記録媒体であって、
ミルブランク部から得られる補綴物の形状を表すデータを補綴物形状データと定義し、補綴物を得るためのミルブランク部の加工に用いられるデータを加工データと定義したとき、
コンピュータに、補綴物形状データ及びリファレンス色調データから、加工データを作成することを実行させる、コンピュータプログラムが記録された記録媒体を開示する。
【０２１４】
参考実施形態１に係る発明は、コンピュータ読出可能な非一過性の記録媒体であって、
ミルブランク部から得られる補綴物の形状を表すデータを補綴物形状データと定義し、補綴物を得るためのミルブランク部の加工に用いられるデータを加工データと定義したとき、
コンピュータに、
補綴物形状データ及びリファレンス色調データに対応する教師データと加工データに対応する正解ラベルとの組み合わせを複数組用いた教師あり学習と、
教師あり学習後において、学習器（２００）によって、補綴物形状データ及びリファレンス色調データから、加工データを作成することと、を実行させる、コンピュータプログラムが記録された記録媒体を開示する。
【０２１５】
[参考実施形態２]
参考実施形態１では、教師データとして、補綴物形状データ及びリファレンス色調データを用いていた。ただし、他の教師データを用いることもできる。参考実施形態２は、参考実施形態１の教師データを変更した形態である。
【０２１６】
具体的には、参考実施形態２では、教師データとして、プラットホームデータ（１１）が用いられる。学習器（２００）は、教師あり学習後において、プラットホームデータ（１１）に基づいて加工データを作成する。このようにしても、参考実施形態１と同様、適切に加工データを作成できる。
【０２１７】
上述の説明から理解されるように、プラットホームデータ（１１）は、歯牙データ（１２）を含み得る。また、プラットホームデータ（１１）は、歯牙データ（１２）とともに、他の領域のデータを含み得る。当該他の領域のデータは、例えば、歯牙データ（１２）の周辺のデータ（以下、周辺環境データと称することがある）である。周辺環境データは、歯牙データ（１２）に隣接する歯牙のデータ、及び／又は、歯牙データ（１２）に対合する歯牙のデータを含み得る。図７を参照して説明した実施形態と同様、プラットホームデータ（１１）は、形状データ及び／又は色調データを含み得る。具体的には、歯牙データ（１２）と同様、周辺環境データも、形状データ及び／又は色調データを含み得る。プラットホームデータ（１１）は、歯牙データ（１２）を含まず、上記他の領域のデータを含んでいてもよい。
【０２１８】
[参考実施形態３]
参考実施形態３は、参考実施形態１の教師データを変更した形態である。具体的には、参考実施形態３では、教師データとして、ワークデータ（３１）及び補綴物形状データ（２０）が用いられる。学習器（２００）は、教師あり学習後において、ワークデータ（３１）及び補綴物形状データ（２０）に基づいて加工データを作成する。このようにしても、参考実施形態１と同様、適切に加工データを作成できる。
【０２１９】
図７などを参照して説明した実施形態の技術と、各参考実施形態の技術とを、任意に組み合わせることができる。
【産業上の利用可能性】
【０２２０】
本発明の方法は、複数の層を含み適切な表面色調を有する補綴物を得るのに役立つ。
【符号の説明】
【０２２１】
１  エナメル層
２  中間層
３  ボディ層
４  仮想第一切断層
５  仮想第二切断層
１１  プラットホームデータ
１２  領域（歯牙データ）
１３  区画点
１４  点線
１５  Ｚ軸
１７  隙間
２０，２０Ａ，２０Ｂ  補綴物形状データ
２０оｆ  開口面
２１  内側表面
２１ｃ  凹面
２２  内側点
２３，２７  セル
２４，２８  メッシュ
２５  外側表面
２６  外側点
３１  ワークデータ
３２  外層
３３  内層
３５  境界
３９  支持部データ
４０  設計装置
５０  装置
５１  コンピュータ
５２  ディスプレイ
６０  加工機
１００，３００  システム
２００  学習器
【図１】
2020058648.tif 000003
【図２】
2020058648.tif 000004
【図３】
2020058648.tif 000005
【図４】
2020058648.tif 000006
【図５】
2020058648.tif 000007
【図６】
2020058648.tif 000008
【図７】
2020058648.tif 000009
【図８】
2020058648.tif 000010
【図９】
2020058648.tif 000011
【図１０】
2020058648.tif 000012
【図１１】
2020058648.tif 000013
【図１２】
2020058648.tif 000014
【図１３】
2020058648.tif 000015
【図１４】
2020058648.tif 000016
【図１５】
2020058648.tif 000017
【図１６】
2020058648.tif 000018
【図１７】
2020058648.tif 000019
【図１８】
2020058648.tif 000020
【図１９】
2020058648.tif 000021
【図２０】
2020058648.tif 000022
【図２１】
2020058648.tif 000023
【図２２】
2020058648.tif 000024